(57)【要約】【課題】端子に接続可能な導体の幅を広げ、かつ、導体を取り付けた状態でも、カバーを外して内部のメンテナンスや修理が可能な回路遮断器を得る。【解決手段】回路遮断器の本体を盤面１４に取付けるため、遮断器の筐体を構成するケース１１の一部に設けられる、取り付けねじ１３を締め付けるための座面１５を、ケースとカバーとの合わせ面からカバー側へ突出した凸状部１７の上面に設け、遮断器を盤面へ取り付けた状態で、ケースからカバーを取り外すことを可能とし、もって、遮断器を取り付けた状態のままで、当該回路遮断器の内部のメンテナンスや修理を行うことが可能にする。【選択図】図１
2010251157.tif 000002
【特許請求の範囲】
【請求項１】
主回路を開閉するための可動接触子と固定接触子を備えた接点部と、前記接点部から発生するアークを消滅させる消弧部と、前記可動接触子を開閉するための開閉機構部と、前記主回路の過電流を検出して前記可動接触子を開極させる過電流引外し部とを、樹脂製のケース及びカバーにより内部に形成される空間内に収容して構成される回路遮断器において、
当該回路遮断器の本体を盤面に取付けるため、前記ケースの一部に設けられ、取り付けねじを締め付けるための座面を、当該ケースと前記カバーとの合わせ面から前記カバー側へ突出した凸状部に設けたことを特徴とする回路遮断器。
【請求項２】
前記請求項１に記載の回路遮断器において、前記取り付けねじ座面が設けられた前記ケースの凸状部の幅が、前記主回路を接続するための端子を内部に収容する端子収容部の間に形成される隔壁の幅とほぼ同じになるようにしたことを特徴とする回路遮断器。
【請求項３】
請求項２に記載の回路遮断器において、前記取り付けねじ座面に締め付けられる前記取り付けねじの頭部の幅を、当該取り付けねじ座面の幅とほぼ同じにしたことを特徴とする回路遮断器。
【請求項４】
請求項１に記載の回路遮断器において、前記カバーを、前記凸状部の周囲を覆うように形成したことを特徴とする回路遮断器。
【請求項５】
請求項４に記載の回路遮断器において、前記凸状部の周囲に勾配を設けたことを特徴とする回路遮断器。
【発明の詳細な説明】
【技術分野】
【０００１】
本発明は、回路遮断器に関し、特に、かかる回路遮断器を盤面に取付けるための取付け部の構造に関するものである。
【背景技術】
【０００２】
従来、回路遮断器では、盤面に取り付けるための取り付けねじ用の穴を、極間の隔壁の位置に設けるのが一般的であり、そのため、従来技術における回路遮断器では、その取付部の強度や絶縁距離の確保などの制約から、以下に説明する２種類の構造のうちのいずれか一方を採用するものがほとんどである。
【０００３】
まず、第一の構造としては、回路遮断器のケースにおいて、極間の隔壁に深い座ぐりを形成して、そこに取り付けねじの座面を設けた構造がある。なお、かかる構造は、回路遮断器の大きさにかかわらず、広く採用されている構造である。
【０００４】
また、第二の構造として、以下の特許文献１の図４にも開示されるように、回路遮断器の表面を覆うカバーにおいて、極間の隔壁に取り付けねじの座面を設け、他方、ケースには、上記取り付けねじの径よりも少し大きい貫通穴を開けた構造が既に知られている。なお、かかる構造によれば、ケースの極間の隔壁を狭くすることが可能となり、そのため、端子幅を圧迫しないことから、特に、小型の遮断器に多く採用されている。
【先行技術文献】
【特許文献】
【０００５】
【特許文献１】特開２００７−３１１１８３号公報
【発明の概要】
【発明が解決しようとする課題】
【０００６】
しかしながら、上述した従来技術になる、特に、前記第一の構造を採用した回路遮断器においては、上記の取り付けねじの座面をケースの極間の隔壁に深く座ぐりをした形状を採用した場合、隔壁の厚さを、取り付ねじの頭部の径よりも小さくする、即ち、隔壁の厚さを狭くすることが出来ないため、端子幅が狭くなり、そのため、特に、小型の遮断器では、端子に接続できる導体の幅が制約を受けるという課題があった。
【０００７】
また、前記第二の構造を採用した回路遮断器においては、取り付けねじの座面をカバーに設けた場合、端子幅を広く確保することは出来るが、しかしながら、遮断器を盤面に取り付けた状態では、当該カバーを取り外すことが出来ないことから、遮断器本体から配線を外してカバーを盤面から取り外さないと、その内部のメンテナンスや修理ができないという問題があった。
【０００８】
そこで、本発明は、上述した従来技術における課題や問題点に鑑みてなされたものであり、その目的は、遮断器内における端子部の幅を大きく取ることを可能として、かつ、回路遮断器を盤面へ取付けた状態でもそのカバーを取り外すことが可能となる構造の回路遮断器を提供することである。
【課題を解決するための手段】
【０００９】
上述した目的を達成するため、本発明によれば、主回路を開閉するための可動接触子と固定接触子を備えた接点部と、前記接点部から発生するアークを消滅させる消弧部と、前記可動接触子を開閉するための開閉機構部と、前記主回路の過電流を検出して前記可動接触子を開極させる過電流引外し部とを、樹脂製のケース及びカバーにより内部に形成される空間内に収容して構成される回路遮断器において、当該回路遮断器の本体を盤面に取付けるため、前記ケースの一部に設けられ、取り付けねじを締め付けるための座面を、当該ケースと前記カバーとの合わせ面から前記カバー側へ突出した凸状部に設けた回路遮断器が提供される。
【００１０】
そして、本発明では、前記に記載の回路遮断器において、前記取り付けねじ座面が設けられた前記ケースの凸状部の幅が、前記主回路を接続するための端子を内部に収容する端子収容部の間に形成される隔壁の幅とほぼ同じになるようにすることが好ましく、又は、前記カバーを、前記凸状部の周囲を覆うように形成することが好ましい。更には、前記取り付けねじ座面に締め付けられる前記取り付けねじの頭部の幅を、当該取り付けねじ座面の幅よりも小さくし、そして、前記凸状部の周囲に勾配を設けることが好ましい。
【発明の効果】
【００１１】
上述した本発明によれば、小型の回路遮断器においても、端子部の幅を大きく設定することが出来ることから、従来の構成による回路遮断器に比較して、幅の広い導体や圧着端子を接続することが可能となり、かつ、遮断器を盤面へ取り付けた状態で、ケースからカバーを取り外すことが可能であることから、遮断器を取り付けた状態のままで、当該回路遮断器の内部のメンテナンスや修理を行うことが可能になるという、実用的にも優れた効果を発揮する。
【００１２】
また、取り付けねじの座面となる凸状部の周囲をカバーで覆うことにより、大電流の遮断時、端子付近から噴出するアークに対しても、十分な絶縁距離を確保することが出来、それに伴うアーク地絡や絶縁低下を防止することができる。
【００１３】
更には、回路遮断器の製造工程においても、取り付けねじ座面の凸部に勾配をつけることによれば、その上から容易にカバーを被せることができ、組立性を損うことはない。
【図面の簡単な説明】
【００１４】
【図１】本発明の実施の形態になる回路遮断器の、特に、その取り付けねじ部における断面を示す図である。
【図２】本発明の実施の形態になる回路遮断器の内部構成の一例を示す図である。
【図３】本発明の実施の形態になる回路遮断器を正面から見た図である。
【発明を実施するための形態】
【００１５】
以下、本発明の実施の形態について、添付の図面を用いて詳細に説明する。
【００１６】
まず、添付の図２には、本発明の一実施の形態になる回路遮断器の、特に、その内部構成の一例を示している。即ち、図からも明らかなように、回路遮断器は、以下に詳細を説明する樹脂製のケース１１とカバー１２とからなる筐体の内部には、主回路を開閉するための可動接触子２１と固定接触子２２とを備えた接点部２０と、接点部２０から発生するアークを消滅させる消弧部３０と、可動接触子２１を開閉するための開閉機構部４０と、検出器５１により主回路の過電流を検出して可動接触子２１を開極させるための過電流引外し部５０とを備えている。
【００１７】
次に、添付の図３には、本発明の一実施の形態になる回路遮断器の、正面から見た状態を示している。回路遮断器には、主回路を接続するための端子３１を複数備えており、その間を仕切る隔壁３２が形成されている。この隔壁にはねじにより回路遮断器を盤面に取り付けるための取付ねじ穴３３が形成されている。
【００１８】
次に、添付の図１には、上記のその概略構成を示した回路遮断器において、ケース１１とカバー１２とからなる筐体の、特に、取り付けねじ部における断面構造を示す。図からも明らかなように、本発明になる回路遮断器では、遮断器の筐体が、樹脂製のケース１１、そして、やはり樹脂製のカバー１２により構成されている。
【００１９】
当該ケース１１には、その内部に、例えば、上記主回路を接続する端子をその内部に収容するための端子収容部１８が、複数、形成されており、これら複数の端子収容部１８を仕切るように、複数（この例では、２枚）の隔壁１９が形成されている。そして、この隔壁１９を貫通して、取り付けねじ１３を用いて本体を盤面１４に固定するための、所謂、取り付け穴１１１が、それぞれ、形成されている。なお、取り付けねじ１３を締め付けるための座面（取り付けねじ座面）１５は、上記隔壁１９から、ケース１１の上面であるケースとカバーの合わせ面（ケース・カバー合わせ面）１６の上方、即ち、カバー１２の方向へ、突出した凸状部１７の上面に形成されている。
【００２０】
なお、上記ケース１１において、その上方に突出して形成された凸状部１７の幅（ＴＰ）を、上記端子収容部１８を区切るためにその間に形成された隔壁１９の幅（ＴＷ）とほぼ同じにする（ＴＰ≒ＴＷ）ことによれば、端子収容部１８の幅（Ｗ）をより大きく確保することができる。即ち、上記端子収容部１８内において、その内部空間を有効に利用して、より幅の広い導体や圧着端子を接続することが可能になる。
【００２１】
また、上記凸状部１７の幅（Ｔ）は、上記取り付けねじ１３の頭部１３Ｈの径（Ｄ）よりも大きく設定されている。そして、上記ケース１１のケース・カバー合わせ面１６よりも上方に突出した凸状部１７を介して（具体的には、凸状部１７の上面に）、上記取り付けねじ座面１５が形成されていることから、取り付けねじ１３によって本体を盤面１４に固定した状態でも、カバー１２を取り外すことができる。これにより、取付け状態でも、遮断器内部のメンテナンスや修理を行うことが可能となる。
【００２２】
さらに、図からも明らかなように、上記凸状部１７の周囲をカバー１２で覆うことによれば、特に、大電流を遮断した際、端子収容部１８の付近から噴出するアークに対しても、十分な絶縁距離を確保することができ、もって、それに伴うアーク地絡や絶縁低下を確実に防止することが可能となる。
【００２３】
なお、このとき、上述したように、凸状部１７の周囲をカバー１２で覆う構造を採用することにより、当該カバー１２をケース１１の上へ被せる作業が難しくなることが懸念される場合には、例えば、上記凸状部の周囲に適切な勾配をつけても良い。これにより、回路遮断器の製造工程においても、凸状部１７の上から容易にカバーを被せる、その組立性を損なわない。
【符号の説明】
【００２４】
１１…ケース、１２…カバー、１３…取り付けねじ、１４…盤面、１５…取り付けねじ座面、１６…ケース・カバー合わせ面、１７…凸状部、１８…端子収容部、１９…隔壁。
【図１】
2010251157.tif 000003
【図２】
2010251157.tif 000004
【図３】
2010251157.tif 000005